(57)【特許請求の範囲】
【請求項１】
出車路の進入口に設けられた第一の車検知器と、出車路の退出口に設けられた第二の車検知器と、入車路側に設けられた第一の出車報知器と、出車路側に設けられた第二の出車報知器と、各機器に接続された制御装置とより構成され、
前記制御装置は、前記第一の車検知器から車検知信号を受けて第一第二の出車報知器へ作動信号を出力し、車が出車路の退出口にきて、第二の車検知器から車検知信号が制御装置に入力し、車が退出口から道路に出て、第二の車検知器から入力していた車検知信号が消勢すると、前記第一第二の出車報知器への作動信号の出力を停止することを特徴とする出車案内装置。
【発明の詳細な説明】
【０００１】
【発明の属する技術分野】
本発明は、給油所又は駐車場のように車が出入りする場所に設置するもので、特に入車路と出車路が決められている場所で、出車路から退出する車があることを道路に走行中の車に知らせる出車案内装置に関するものである。
【０００２】
【従来の技術】
給油所又は駐車場の出車路に設置され、退出する車があることを走行中の車へ知らせる出車案内装置として、本出願人は特開平２ー２６６４９８号として提案している。この出車案内装置は、出車路より出車する車を検知する車検知器と、走行してくる車を検知する車検知器と、両車検知器の信号に基づいて作動する出車報知器とより構成され、走行してくる車がないときに出車する車があると出車報知器が直ちに作動するようになっている。このものは有効ではあるが、車が高速で走行している場合は、遠方から車が接近してくるにもかかわらず出車報知器が作動し始め、出車報知器が作動したときには車が間近まできていて出車する車の安全が確保できないことがある。また、結果的に急に出車報知器が作動することになり、道路を走行中の車の運転者を驚かすことがある。
【０００３】
【発明が解決しようとする課題】
そこで本発明の目的は、出車路より出車する車の安全を確保し、走行中の車の運転者を驚かせることがないようにした出車案内装置を提供することである。
【０００４】
【課題を解決するための手段】
前記目的を達成するため本発明は、出車路の進入口に設けられた第一の車検知器と、出車路の退出口に設けられた第二の車検知器と、入車路側に設けられた第一の出車報知器と、出車路側に設けられた第二の出車報知器と、各機器に接続された制御装置とより構成され、前記制御装置は、前記第一の車検知器から車検知信号を受けて第一第二の出車報知器へ作動信号を出力し、車が出車路の退出口にきて、第二の車検知器から車検知信号が制御装置に入力し、車が退出口から道路に出て、第二の車検知器から入力していた車検知信号が消勢すると、前記第一第二の出車報知器への作動信号の出力を停止することを要旨とするものである。
【０００５】
本発明によれば、出車路より出車する車の安全が確保できる。また、出車することを走行中の車の運転者に前もって知らせることができるので、運転者を驚かせることがなくなる。
【０００６】
【発明の実施の形態】
以下、本発明を給油所に実施した例で説明する。図１に示すように、給油所１の道路２面していない三面は防火塀３囲われ、開放された一面に道路２に連接された入車路４と出車路５が設けられている。そして、給油所１の敷地内には複数のアイランド６が設けられ、各アイランド６には給油装置７が設けられている。
【０００７】
出車路５の進入口８には車を検知する第一の車検知器９が設けられ、退出口１０には車を検知する第二の車検知器１１が設けられている。そして、給油所１の入車路４側には第一の出車報知器１２が設けられ、出車路５側には第二の出車報知器１３が設けられ、これらの各機器は図示しない信号線で制御装置１４に接続されている。
【０００８】
この制御装置１４は、第一の車検知器９から車検知信号を受けて第一第二の出車報知器１２、１３へ作動信号を出力し、第二の車検知器１１から車検知信号を受け、この車検知信号が消勢すると第一第二の出車報知器１２、１３への作動信号の出力を停止するようになっている。
【０００９】
図２に示すように、入車路４側に設けられる第一の出車報知器１２は、黄色の回転灯１２ａと、ＬＥＤ等の発光体で作られた表示器１２ｂで構成されている。この第一の出車報知器１２は、３メートル程の高さである。そして、制御装置１４から作動信号を受けて、黄色の回転灯１２ａが点灯して回転し、表示器１２ｂに「先方で出車します。ご注意下さい。」等の文字がスクロールして表示されるようになっている。
【００１０】
図３に示すように、出車路５側に設けられる第二の出車報知器１３は、赤色の回転灯１３ａと、ＬＥＤ等の発光体で作られた表示器１３ｂで構成され、表示器１３ｂには出車を示す車の絵が描かれている。この第二の出車報知器１３は、５メートル程の高さである。そして、制御装置１４から作動信号を受けて、赤色の回転灯１３ａが点灯して回転し、表示器１３ｂの「出車注意」等の文字が点滅するようになっている。
【００１１】
なお、入車路４側に設けられる第一の出車報知器１２は、出車路５側に設けられた第二の出車報知器１３から約５０メートル離れた位置が適当であり、給油所１が狭い場合には、給油所１から少し離れて道路２に面した位置に設置されることになる。
【００１２】
また、第一、第二の車検知器９、１１は、出車路５の進入口８に紐状のスイッチを敷設し、このスイッチを車が踏んだときに車検知信号を制御装置１４に伝えるものでもよい。また、出車路５を挟んで発光体と受光体を設け、発光体から発せられる光を車が遮ったときに車検知信号を制御装置１４に伝えるものでもよく。さらに、出車路５に向けて超音波を発し、その反射波より判断して車検知信号を制御装置１４に伝えるものでもよい。
【００１３】
次に図４のフロー図に基づいて動作を説明する。入車路４より入車した車は給油装置７の前に停車し、給油を受ける。給油が終わり、退出する車が出車路５の進入口８に進入して第一の車検知器９が車を検知し、車検知信号が制御装置１４に入力すると（ＳＴ１）、制御装置１４は第一第二の出車報知器１２、１３へ作動信号を出力する（ＳＴ２）。この作動信号を受けて、第一第二の出車報知器１２、１３は作動する。
【００１４】
即ち、第一の出車報知器１２の黄色の回転灯１２ａが点灯して回転し、表示器１２ｂに「先方で出車します。ご注意下さい。」等の文字がスクロールして表示される。この第一の出車報知器１２の作動により、道路２を走行中の車の運転者は給油所１から車が出てくることを予知し、給油所１から出てくる車に運転者が驚くことがなくなり、思わぬ事故を引き起こすことがなくなる。
【００１５】
同時に、第二の出車報知器１３の赤色の回転灯１３ａが点灯して回転し、表示器１３ｂに「出車注意」等の出車注意の文字が点滅して表示される。この第二の出車報知器１３の作動により、給油所から出車する車の安全が確保される。そして、出車中は第一第二の出車報知器１２、１３の両方が作動し続けるので、出車時の車の安全がより確実となる。
【００１６】
そして、車が出車路５の退出口１０にきて、第二の車検知器１１から車検知信号が制御装置１４に入力し（ＳＴ３）、車が退出口１０から道路２に出て、第二の車検知器１１から入力していた車検知信号が消勢すると（ＳＴ４）、制御装置１４は第一第二の出車報知器１２、１３への作動信号の出力を停止し（ＳＴ５）、第一第二の出車報知器１２、１３の作動は自動的に停止する。
【００１７】
【発明の効果】
以上説明したように本発明の出車案内装置は、出車路の進入口に設けられた第一の車検知器と、出車路の退出口に設けられた第二の車検知器と、入車路側に設けられた第一の出車報知器と、出車路側に設けられた第二の出車報知器と、各機器に接続された制御装置とより構成され、前記制御装置は、前記第一の車検知器から車検知信号を受けて第一第二の出車報知器へ作動信号を出力し、前記第二の車検知器から受けた車検知信号が消勢すると第一第二の出車報知器への作動信号の出力を停止するので、出車路より出車する車の安全が確保できる。また、出車することを走行中の車の運転者に前もって知らせることができるので、運転者を驚かせることがなくなる。
【図面の簡単な説明】
【図１】  本発明の出車案内装置を設置した給油所の平面図である。
【図２】  第一の出車報知器の正面図である。
【図３】  第二の出車報知器の正面図である。
【図４】  出車案内装置の制御装置のフロー図である。
【符号の説明】
１  給油所
２  道路
３  防火塀
４  入車路
５  出車路
６  アイランド
７  給油装置
８  進入口
９  第一の車検知器
１０  退出口
１１  第二の車検知器
１２  第一の出車報知器
１３  第二の出車報知器
１４  制御装置
【図１】
0003704924.tif 000002
【図２】
0003704924.tif 000003
【図３】
0003704924.tif 000004
【図４】
0003704924.tif 000005